(57)【要約】【課題】通話路を形成していない宅内通話端末でも宅外の訪問者やその周囲の状況の把握できるインターホンシステムを提供する。【解決手段】インターホン親機Ａ１の制御部６は、応答釦が操作されると、通話処理部５を起動することでドアホン子器Ｂとの間に通話路を形成させて、インターホン親機Ａ１とドアホン子器Ｂとの間で通話が行われる。一方、インターホン副親機Ａ２の制御部１６は、インターホン親機Ａ１から送信された応答制御信号を制御信号送受信部１８で受信して且つ操作部１４の応答釦を操作されると、受話処理部１９を起動させて、ドアホン子器Ｂからインターホン親機Ａ１への受話信号を通話線，受話処理部１９を介して受信し、スピーカ１２から音声出力して受話信号をモニタすることができ、インターホン親機Ａ１から送信された終了制御信号を制御信号送受信部１８で受信すると、受話処理部１９を停止させる。【選択図】　　　　図１
2004088377.tif 000002
【特許請求の範囲】
【請求項１】
住戸外に設置される１台以上の宅外通話端末と、住戸内に設置される複数の宅内通話端末とで構成され、宅外通話端末からの呼出に対して何れかの宅内通話端末が応答したときに当該宅内通話端末と宅外通話端末との間で通話が行われるインターホンシステムにおいて、宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、他の宅内通話端末において操作手段が操作されたか否かを検出する操作検出手段と、操作検出手段にて他の宅内通話端末が通話を開始するために操作手段を操作したことを検出してから他の宅内通話端末が通話を終了するために操作手段を操作したことを検出するまでの間で、宅外通話端末からの通話音声をモニタする受話処理手段とを備えたことを特徴とするインターホンシステム。
【請求項２】
受話処理手段は、モニタした通話音声を外部に拡声報知する拡声報知手段と、操作検出手段にて他の宅内通話端末が通話を開始するために操作手段を操作したことを検出すると拡声報知手段の動作を開始させ、操作検出手段にて他の宅内通話端末が通話を終了するために操作手段を操作したことを検出すると拡声報知手段の動作を停止させる手段とを備えることを特徴とする請求項１記載のインターホンシステム。
【請求項３】
拡声報知手段の動作を中止させる手段を備えることを特徴とする請求項２記載のインターホンシステム。
【請求項４】
宅外通話端末は１台以上のカメラ付き宅外通話端末を含み、宅内通話端末は１台以上のモニタ装置付き宅内通話端末を含み、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、モニタ装置付き宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、他の宅内通話端末において操作手段が操作されたか否かを検出する操作検出手段と、操作検出手段にて他の宅内通話端末が通話を開始するために操作手段を操作したことを検出してから他の宅内通話端末が通話を終了するために操作手段を操作したことを検出するまでの間で、宅外通話端末からの通話音声をモニタする受話処理手段と、他の宅内通話端末がカメラ付き宅外通話端末と通話路を形成した場合には、操作検出手段にて他の宅内通話端末が通話を開始するために操作手段を操作したことを検出してから他の宅内通話端末が通話を終了するために操作手段を操作したことを検出するまでの間で、カメラが撮像した映像をモニタ装置に表示させる映像確認処理手段とを備えたことを特徴とする請求項１記載のインターホンシステム。
【請求項５】
操作検出手段にて他の宅内通話端末が通話を開始するために操作手段を操作したことを検出すると映像確認処理手段の動作を開始させ、操作検出手段にて他の宅内通話端末が通話を終了するために操作手段を操作したことを検出すると映像確認処理手段の動作を停止させる手段を備えることを特徴とする請求項４記載のインターホンシステム。
【請求項６】
映像確認処理手段の動作を中止させる手段を備えることを特徴とする請求項５記載のインターホンシステム。
【請求項７】
宅内通話端末は、宅外通話端末との通話を終了するために操作手段を操作したとき、宅外通話端末に通話の終了を通知する通話終了通知手段を備えることを特徴とする請求項１乃至６何れか記載のインターホンシステム。
【発明の詳細な説明】
【０００１】
【発明の属する技術分野】
本発明は、一戸建て住宅や集合住宅等に設置され、住戸内と住戸外との間の通話を行うインターホンシステムに関するものである。
【０００２】
【従来の技術】
従来、住戸外に設置されるドアホン子器やロビーインターホン等の宅外通話端末と、住戸内に設置されるインターホン親機および副親機等の複数の宅内通話端末とで構成されるインターホンシステムは、宅外通話端末からの呼出に対して複数の宅内通話端末のうち何れかが応答操作を行って応答したとき、その応答操作を行って通話路を形成した宅内通話端末のみが、宅外通話端末からの音声を聞いて通話をしたり、宅外通話端末が備えるカメラが撮像した映像をモニタ装置に表示できるものであった（但し、何れかの宅内通話端末が応答操作を行うまでは全てのモニタ装置付き屋内端末で宅外通話端末が備えるカメラが撮像した映像をモニタ装置に表示していた）。しかし、応答操作を行っていない宅内通話端末では、宅外通話端末と応答操作を行った宅内通話端末との間の通話内容を聞くことはできず、宅外通話端末が備えるカメラが撮像した映像を表示することもできないので、宅外の訪問者やその周囲の状況の把握が困難であった。
【０００３】
さらには、宅外通話端末と宅内通話端末との間の通話が終了したことを宅外通話端末に通知することはできず、宅外通話端末の訪問者は通話が継続しているのか終了したのかを判断することが困難であった。
【０００４】
【発明が解決しようとする課題】
本発明は、上記事由に鑑みてなされたものであり、その目的は、通話路を形成していない宅内通話端末でも宅外の訪問者やその周囲の状況の把握できるインターホンシステムを提供することにある。
【０００５】
【課題を解決するための手段】
請求項１の発明は、住戸外に設置される１台以上の宅外通話端末と、住戸内に設置される複数の宅内通話端末とで構成され、宅外通話端末からの呼出に対して何れかの宅内通話端末が応答したときに当該宅内通話端末と宅外通話端末との間で通話が行われるインターホンシステムにおいて、宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、他の宅内通話端末において操作手段が操作されたか否かを検出する操作検出手段と、操作検出手段にて他の宅内通話端末が通話を開始するために操作手段を操作したことを検出してから他の宅内通話端末が通話を終了するために操作手段を操作したことを検出するまでの間で、宅外通話端末からの通話音声をモニタする受話処理手段とを備えたことを特徴とする。
【０００６】
請求項２の発明は、請求項１において、受話処理手段は、モニタした通話音声を外部に拡声報知する拡声報知手段と、操作検出手段にて他の宅内通話端末が通話を開始するために操作手段を操作したことを検出すると拡声報知手段の動作を開始させ、操作検出手段にて他の宅内通話端末が通話を終了するために操作手段を操作したことを検出すると拡声報知手段の動作を停止させる手段とを備えることを特徴とする。
【０００７】
請求項３の発明は、請求項２において、拡声報知手段の動作を中止させる手段を備えることを特徴とする。
【０００８】
請求項４の発明は、請求項１において、宅外通話端末は１台以上のカメラ付き宅外通話端末を含み、宅内通話端末は１台以上のモニタ装置付き宅内通話端末を含み、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、モニタ装置付き宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、他の宅内通話端末において操作手段が操作されたか否かを検出する操作検出手段と、操作検出手段にて他の宅内通話端末が通話を開始するために操作手段を操作したことを検出してから他の宅内通話端末が通話を終了するために操作手段を操作したことを検出するまでの間で、宅外通話端末からの通話音声をモニタする受話処理手段と、他の宅内通話端末がカメラ付き宅外通話端末と通話路を形成した場合には、操作検出手段にて他の宅内通話端末が通話を開始するために操作手段を操作したことを検出してから他の宅内通話端末が通話を終了するために操作手段を操作したことを検出するまでの間で、カメラが撮像した映像をモニタ装置に表示させる映像確認処理手段とを備えたことを特徴とする。
【０００９】
請求項５の発明は、請求項４において、操作検出手段にて他の宅内通話端末が通話を開始するために操作手段を操作したことを検出すると映像確認処理手段の動作を開始させ、操作検出手段にて他の宅内通話端末が通話を終了するために操作手段を操作したことを検出すると映像確認処理手段の動作を停止させる手段を備えることを特徴とする。
【００１０】
請求項６の発明は、請求項５において、映像確認処理手段の動作を中止させる手段を備えることを特徴とする。
【００１１】
請求項７の発明は、請求項１乃至６何れかにおいて、宅内通話端末は、宅外通話端末との通話を終了するために操作手段を操作したとき、宅外通話端末に通話の終了を通知する通話終了通知手段を備えることを特徴とする。
【００１２】
【発明の実施の形態】
以下、本発明の実施の形態を図面に基づいて説明する。
【００１３】
（実施形態１）
本実施形態のインターホンシステムは、図１に示すように住戸外に設置される宅外通話端末たるドアホン子器Ｂと、住戸内に設置される複数の宅内通話端末たるインターホン親機Ａ１及び副親機Ａ２とで構成される。但し、宅外通話端末として、集合住宅の玄関ロビーに設置されるロビーインターホンや、警報監視盤を備える場合もあり、宅外通話端末の台数も複数であってもよい。
【００１４】
ドアホン子器Ｂは従来周知の構成を有するものであって、呼出釦、マイクロホン、スピーカ等を具備し、呼出釦が操作されたときにインターホン親機Ａ１に対して呼出信号を出力し、後述するようにインターホン親機Ａ１又は副親器Ａ２との間に通話路が形成されると、マイクロホン及びスピーカを用いてインターホン親機Ａ１または副親機Ａ２と通話することができる。
【００１５】
インターホン親機Ａ１は、図１に示すようにマイクロホン１及びスピーカ２と、ドアホン子器Ｂから出力された呼出信号を検出する呼出検出部３と、応答釦及び通話終了釦を具備する操作部４と、ドアホン子器Ｂとの間に通話路を形成してドアホン子器Ｂから送られてくる音声信号（受話信号）を処理してスピーカ２から音声を出力するとともにマイクロホン１で集音した音声を処理した音声信号（送話信号）をドアホン子器Ｂに送って双方向の通話を実現する通話処理部５と、ＣＰＵを主構成要素とし親機全体の制御を行う制御部６と、スピーカ２から呼出音を出力させる呼出音出力部７と、インターホン副親器Ａ２との間で制御信号（後述する）を送受信する制御信号送受信部８と、ドアホン子器Ｂからインターホン副親機Ａ２に送られてくる音声信号（受話信号）を処理してスピーカ２から音声を出力する受話を実現する受話処理部９とを備えている。
【００１６】
呼出検出部３はドアホン子器Ｂからの呼出信号を検出したときに呼出検出信号を制御部６に出力する。そして、呼出検出信号が入力された制御部６は、呼出音出力部７を制御してスピーカ２から呼出音を出力させるとともに、制御信号送受信部８からインターホン副親機Ａ２に対して呼出制御信号を送信させる。呼出音を聞いた家人が操作部４の応答釦を操作すると、操作部４から制御部６に対して応答操作信号が出力される。この応答操作信号が入力された制御部６は、通話処理部５を起動することでドアホン子器Ｂとの間に通話路を形成させる。通話を終了させる時には操作部４の通話終了釦を操作すると、操作部４から制御部６に対して終了操作信号が出力される。この終了操作信号が入力された制御部６は、通話処理部５を停止することでドアホン子器Ｂとの間の通話路を開放させる。
【００１７】
通話処理部５はＤＳＰ（ディジタル・シグナル・プロセッサ）やＡ／Ｄ変換器及びＤ／Ａ変換器等で構成された従来周知の構成を有するものであって、ＤＳＰにより音声スイッチ及びエコーキャンセラ等の機能を実現することにより双方向のハンズフリー通話を可能としている。また、制御信号送受信部８はドアホン子器Ｂとインターホン副親器Ａ２を接続する通話線を介して制御信号を送受信する。
【００１８】
一方、インターホン副親器Ａ２は、図２に示すようにインターホン親機Ａ１とほぼ共通の構成を有しており、マイクロホン１１及びスピーカ１２と、応答釦及び通話終了釦を具備する操作部１４と、インターホン親機Ａ１を介してドアホン子器Ｂとの間に通話路を形成しドアホン子器Ｂから送られてくる音声信号（受話信号）を処理してスピーカ１２から音声を出力するとともにマイクロホン１１で集音した音声を処理した音声信号（送話信号）をドアホン子器Ｂに送って双方向の通話を実現する通話処理部１５と、ＣＰＵを主構成要素とし副親機全体の制御を行う制御部１６と、スピーカ１２から呼出音を出力させる呼出音出力部１７と、インターホン親機Ａ１との間で制御信号を送受信する制御信号送受信部１８と、ドアホン子器Ｂからインターホン親機Ａ１に送られてくる音声信号（受話信号）を処理してスピーカ１２から音声を出力する受話を実現する受話処理部１９とを備えている。
【００１９】
制御信号送受信部１８はドアホン子器Ｂとインターホン副親機Ａ２を接続する通話線を介して制御信号を送受信するものであって、例えば、インターホン親機Ａ１から送信された呼出制御信号を受信したときに呼出検出信号を制御部１６に出力する。そして、呼出検出信号が入力された制御部１６は、呼出音出力部１７を制御してスピーカ１２から呼出音を出力させる。呼出音を聞いた家人が操作部１４の応答釦を操作すると、操作部１４から制御部１６に対して応答操作信号が出力される。この応答操作信号が入力された制御部１６は、通話処理部１５を起動することでドアホン子器Ｂとの間に通話路を形成させる。通話処理部１５はインターホン親機Ａ１の通話処理部５と同じ構成を有しており、インターホン副親機Ａ２においてもインターホン親機Ａ１と同様にドアホン子器Ｂとの間で双方向のハンズフリー通話が可能となっている。通話を終了させる時には操作部１４の通話終了釦を操作すると、操作部１４から制御部１６に対して終了操作信号が出力される。この終了操作信号が入力された制御部１６は、通話処理部１５を停止することでドアホン子器Ｂとの間の通話路を開放させる。
【００２０】
ここで、ドアホン子器Ｂから呼出信号がインターホン親機Ａ１、及びインターホン親機Ａ１を介してインターホン副親機Ａ２に送信され、インターホン親機Ａ１で応答処理を行った場合について、以下説明する。まず、インターホン親機Ａ１の制御部６は、応答釦を操作した操作部４からの応答操作信号が入力されたときに応答釦が操作されたことを知らせるための応答制御信号を制御信号送受信部８からインターホン副親機Ａ２へ送信させるとともに、通話処理部５を起動することでドアホン子器Ｂとの間に通話路を形成させて、インターホン親機Ａ１とドアホン子器Ｂとの間で通話が行われる。一方、インターホン副親機Ａ２の制御部１６は、インターホン親機Ａ１から送信された応答制御信号を制御信号送受信部１８で受信して且つ操作部１４の応答釦を操作されると、受話処理部１９を起動させて、ドアホン子器Ｂからインターホン親機Ａ１への受話信号を通話線，受話処理部１９を介して受信し、スピーカ１２から音声出力して受話信号をモニタ（受話モニタ）することができる。
【００２１】
そしてインターホン親機Ａ１とドアホン子器Ｂとの通話終了時には、インターホン親機Ａ１の制御部６は、通話終了釦を操作した操作部４からの終了操作信号が入力されたときに終了釦が操作されたことを知らせるための終了制御信号を制御信号送受信部８からインターホン副親機Ａ２へ送信させるとともに、通話処理部５を停止することでドアホン子器Ｂとの間の通話路を開放する。一方、インターホン副親機Ａ２の制御部１６は、インターホン親機Ａ１から送信された終了制御信号を制御信号送受信部１８で受信すると、受話処理部１９を停止させて、ドアホン子器Ｂからインターホン親機Ａ１への受話信号のモニタ（受話モニタ）も停止させる。
【００２２】
同様に、インターホン副親機Ａ２で応答処理を行った場合についても、まず、インターホン副親機Ａ２の制御部１６は、応答釦を操作した操作部１４からの応答操作信号が入力されたときに応答釦が操作されたことを知らせるための応答制御信号を制御信号送受信部１８からインターホン親機Ａ１へ送信させるとともに、通話処理部１５を起動することでドアホン子器Ｂとの間に通話路を形成させて、インターホン副親機Ａ２とドアホン子器Ｂとの間で通話が行われる。一方、インターホン親機Ａ１の制御部６は、インターホン副親機Ａ２から送信された応答制御信号を制御信号送受信部８で受信して且つ操作部４の応答釦を操作されると、受話処理部９を起動させて、ドアホン子器Ｂからインターホン副親機Ａ２への受話信号を通話線，受話処理部９を介して受信し、スピーカ２から音声出力してモニタすることができる。
【００２３】
そしてインターホン副親機Ａ２とドアホン子器Ｂとの通話終了時には、インターホン副親機Ａ２の制御部１６は、通話終了釦を操作した操作部１４からの終了操作信号が入力されたときに終了釦が操作されたことを知らせるための終了制御信号を制御信号送受信部１８からインターホン親機Ａ１へ送信させるとともに、通話処理部１５を停止することでドアホン子器Ｂとの間の通話路を開放する。一方、インターホン親機Ａ１の制御部６は、インターホン副親機Ａ２から送信された終了制御信号を制御信号送受信部８で受信すると、受話処理部９を停止させて、ドアホン子器Ｂからインターホン副親機Ａ２への受話信号のモニタも停止させる。
【００２４】
このように通話路を形成した宅内通話端末（例えば、インターホン親機Ａ１）と宅外通話端末（ドアホン子器Ｂ）との通話中に、通話路を形成していない他の宅内通話端末（例えば、インターホン副親機Ａ２）で操作部の応答釦が操作されれば、他の宅内通話端末でも宅外通話端末で話されている訪問者の音声を確認でき、その内容を把握することができる。
【００２５】
（実施形態２）
本実施形態においては、インターホン親機Ａ１は、図３に示すように受話処理部９の出力に拡声用スピーカ２０を設けており、受話処理部９はドアホン子器Ｂから受信した受話信号の増幅手段を備えており、これ以外の構成は実施形態１と共通である。またインターホン副親機Ａ２は、図４に示すように受話処理部１９の出力に拡声用スピーカ３０を設けており、受話処理部１９はドアホン子器Ｂから受信した受話信号の増幅手段を備えており、これ以外の構成は実施形態１と共通である。そして本実施形態では、宅内通話端末の操作部の応答釦を操作せずとも自動で宅外通話端末で話されている音声を外部に拡声報知してモニタするのである。
【００２６】
まず、ドアホン子器Ｂから呼出信号がインターホン親機Ａ１、及びインターホン親機Ａ１を介してインターホン副親機Ａ２に送信され、インターホン親機Ａ１で応答処理を行った場合について、以下説明する。まず、インターホン親機Ａ１の制御部６は、応答釦を操作した操作部４からの応答操作信号が入力されたときに応答釦が操作されたことを知らせるための応答制御信号を制御信号送受信部８からインターホン副親機Ａ２へ送信させるとともに、通話処理部５を起動することでドアホン子器Ｂとの間に通話路を形成させて、インターホン親機Ａ１とドアホン子器Ｂとの間で通話が行われる。一方、インターホン副親機Ａ２の制御部１６は、インターホン親機Ａ１から送信された応答制御信号を制御信号送受信部１８で受信した時点で、受話処理部１９を起動させて、ドアホン子器Ｂからインターホン親機Ａ１への受話信号を通話線，受話処理部１９を介して受信・増幅し、拡声用スピーカ３０から外部に拡声報知してモニタすることができる。
【００２７】
そしてインターホン親機Ａ１とドアホン子器Ｂとの通話終了時には、インターホン親機Ａ１の制御部６は、通話終了釦を操作した操作部４からの終了操作信号が入力されたときに終了釦が操作されたことを知らせるための終了制御信号を制御信号送受信部８からインターホン副親機Ａ２へ送信させるとともに、通話処理部５を停止することでドアホン子器Ｂとの間の通話路を開放する。一方、インターホン副親機Ａ２の制御部１６は、インターホン親機Ａ１から送信された終了制御信号を制御信号送受信部１８で受信した時点で、受話処理部１９を停止させて、ドアホン子器Ｂからインターホン親機Ａ１への受話信号の拡声報知も停止させる。
【００２８】
同様に、インターホン副親機Ａ２で応答処理を行った場合についても、まず、インターホン副親機Ａ２の制御部１６は、応答釦を操作した操作部１４からの応答操作信号が入力されたときに応答釦が操作されたことを知らせるための応答制御信号を制御信号送受信部１８からインターホン親機Ａ１へ送信させるとともに、通話処理部１５を起動することでドアホン子器Ｂとの間に通話路を形成させて、インターホン副親機Ａ２とドアホン子器Ｂとの間で通話が行われる。一方、インターホン親機Ａ１の制御部６は、インターホン副親機Ａ２から送信された応答制御信号を制御信号送受信部８で受信した時点で、受話処理部９を起動させて、ドアホン子器Ｂからインターホン副親機Ａ２への受話信号を通話線，受話処理部９を介して受信・増幅し、拡声用スピーカ２０から外部に拡声報知してモニタすることができる。
【００２９】
そしてインターホン副親機Ａ２とドアホン子器Ｂとの通話終了時には、インターホン副親機Ａ２の制御部１６は、通話終了釦を操作した操作部１４からの終了操作信号が入力されたときに終了釦が操作されたことを知らせるための終了制御信号を制御信号送受信部１８からインターホン親機Ａ１へ送信させるとともに、通話処理部１５を停止することでドアホン子器Ｂとの間の通話路を開放する。一方、インターホン親機Ａ１の制御部６は、インターホン副親機Ａ２から送信された終了制御信号を制御信号送受信部８で受信した時点で、受話処理部９を停止させて、ドアホン子器Ｂからインターホン副親機Ａ２への受話信号の拡声報知も停止させる。
【００３０】
このように通話路を形成した宅内通話端末（例えば、インターホン親機Ａ１）と宅外通話端末（ドアホン子器Ｂ）とが通話を開始すると、通話路を形成していない他の宅内通話端末（例えば、インターホン副親機Ａ２）でも、受話操作等の操作を行わなくても実際の通話が継続している間は自動的に宅外通話端末で話されている訪問者の音声を確認でき、その内容を把握することができる。さらに、モニタする音声を受話処理部９，１９で増幅して拡声報知するので、家人が宅内通話端末の近くにいなくても宅外の訪問者の音声やその内容を把握することができる。
【００３１】
（実施形態３）
本実施形態のインターホンシステムは実施形態２と同様に図３，４の構成を備え、実施形態２において、インターホン親機Ａ１及びインターホン副親機Ａ２の各操作部４，１４に、ドアホン子器Ｂからの受話信号のモニタを中止させる中止釦を備えたもので、これ以外の構成は実施形態２と共通である。インターホン親機Ａ１では、ドアホン子器Ｂからインターホン副親機Ａ２への受話信号を通話線，受話処理部９を介して受信・増幅し、拡声用スピーカ２０から外部に拡声報知している最中に、操作部４の中止釦を操作すると、操作部４から制御部６に対して中止操作信号が出力される。この中止操作信号が入力された制御部６は受話処理部９を停止することで拡声用スピーカ２０からの拡声報知を中止させる。
【００３２】
同様に、インターホン副親機Ａ２では、ドアホン子器Ｂからインターホン親機Ａ１への受話信号を通話線，受話処理部１９を介して受信・増幅し、拡声用スピーカ３０から外部に拡声報知している最中に、操作部１４の中止釦を操作すると、操作部１４から制御部１６に対して中止操作信号が出力される。この中止操作信号が入力された制御部１６は、受話処理部１９を停止することで拡声用スピーカ３０からの拡声報知を中止させる。
【００３３】
このように、宅内通話端末で、ドアホン子器Ｂからの受話信号のモニタ動作が不必要な場合は任意にモニタ動作を中止することができる。
【００３４】
（実施形態４）
本実施形態のインターホンシステムは、宅外通話端末として訪問者を撮像するためのテレビカメラを具備した従来周知のカメラ付きのドアホン子器Ｂと、ドアホン子器Ｂのテレビカメラで撮像された映像を表示するためのモニタ装置を具備したインターホン親機Ａ１及びインターホン副親器Ａ２とで構成される。
【００３５】
インターホン親機Ａ１は、図５に示すようにドアホン子器Ｂから音声信号に重畳させて送られてくる映像信号を分離して処理する映像処理部２１と、ブラウン管等の表示デバイスを具備し映像処理部２１から出力される処理後の映像信号に応じて映像を表示する映像表示部（モニタ装置）２２とを備えており、これ以外の構成は実施形態１と共通である。またインターホン副親器Ａ２は、図６に示すようにドアホン子器Ｂから音声信号に重畳させて送られてくる映像信号を分離して処理する映像処理部３１と、ブラウン管等の表示デバイスを具備し映像処理部３１から出力される処理後の映像信号に応じて映像を表示する映像表示部（モニタ装置）３２とを備えており、これ以外の構成は実施形態１と共通である。
【００３６】
そして、ドアホン子器Ｂでは呼出釦が操作されたときに呼出信号とともに映像信号を送信し、インターホン親機Ａ１及び副親機Ａ２では、呼出信号に応じて呼出音をスピーカ２，１２から出力すると同時に映像処理部２１，３１を起動して、その後インターホン親機Ａ１または副親機Ａ２が応答操作を行うまではドアホン子器Ｂのテレビカメラで撮像された訪問者の映像を映像表示部２２，３２の両方に表示させる（映像モニタ）のである。
【００３７】
次に、インターホン親機Ａ１で応答処理を行った場合について、以下説明する。まず、インターホン親機Ａ１の制御部６は、応答釦を操作した操作部４からの応答操作信号が入力されたときに応答釦が操作されたことを知らせるための応答制御信号を制御信号送受信部８からインターホン副親機Ａ２へ送信させるとともに、通話処理部５を起動することでドアホン子器Ｂとの間に通話路を形成させて、インターホン親機Ａ１とドアホン子器Ｂとの間で通話が行われ、且つドアホン子器Ｂのテレビカメラで撮像された訪問者の映像を映像表示部２２に継続して表示させて映像モニタを行う。一方、インターホン副親機Ａ２の制御部１６は、インターホン親機Ａ１から送信された応答制御信号を制御信号送受信部１８で受信した時点で映像処理部３１を停止させて、映像表示部３２の表示を消して映像モニタを停止する。その状態で操作部１４の応答釦を操作されると、受話処理部１９を起動させて、ドアホン子器Ｂからインターホン親機Ａ１への受話信号を通話線，受話処理部１９を介して受信し、スピーカ１２から音声出力して受話信号をモニタ（受話モニタ）すると同時に、映像処理部３１を起動させて、ドアホン子器Ｂのテレビカメラで撮像された訪問者の映像を映像表示部３２に表示させて映像モニタを行うことができる。
【００３８】
そしてインターホン親機Ａ１とドアホン子器Ｂとの通話終了時には、インターホン親機Ａ１の制御部６は、通話終了釦を操作した操作部４からの終了操作信号が入力されたときに終了釦が操作されたことを知らせるための終了制御信号を制御信号送受信部８からインターホン副親機Ａ２へ送信させるとともに、通話処理部５を停止することでドアホン子器Ｂとの間の通話路を開放すると同時に、映像処理部２１を停止させて映像モニタを停止する。一方、インターホン副親機Ａ２の制御部１６は、インターホン親機Ａ１から送信された終了制御信号を制御信号送受信部１８で受信すると、受話処理部１９を停止させて、ドアホン子器Ｂからインターホン親機Ａ１への受話信号のモニタ（受話モニタ）を停止させると同時に、映像処理部３１を停止させて映像モニタも停止させる。
【００３９】
同様に、インターホン副親機Ａ２で応答処理を行った場合についても、まず、インターホン副親機Ａ２の制御部１６は、応答釦を操作した操作部１４からの応答操作信号が入力されたときに応答釦が操作されたことを知らせるための応答制御信号を制御信号送受信部１８からインターホン親機Ａ１へ送信させるとともに、通話処理部１５を起動することでドアホン子器Ｂとの間に通話路を形成させて、インターホン副親機Ａ２とドアホン子器Ｂとの間で通話が行われ、且つドアホン子器Ｂのテレビカメラで撮像された訪問者の映像を映像表示部３２に継続して表示させて映像モニタを行う。一方、インターホン親機Ａ１の制御部６は、インターホン副親機Ａ２から送信された応答制御信号を制御信号送受信部８で受信した時点で映像処理部２１を停止させて、映像表示部２２の表示を消して映像モニタを停止する。その状態で操作部４の応答釦を操作されると、受話処理部９を起動させて、ドアホン子器Ｂからインターホン副親機Ａ２への受話信号を通話線，受話処理部９を介して受信し、スピーカ２から音声出力して受話信号をモニタ（受話モニタ）すると同時に、映像処理部２１を起動させて、ドアホン子器Ｂのテレビカメラで撮像された訪問者の映像を映像表示部２２に表示させて映像モニタを行うことができる。
【００４０】
そしてインターホン副親機Ａ２とドアホン子器Ｂとの通話終了時には、インターホン副親機Ａ２の制御部１６は、通話終了釦を操作した操作部１４からの終了操作信号が入力されたときに終了釦が操作されたことを知らせるための終了制御信号を制御信号送受信部１８からインターホン親機Ａ１へ送信させるとともに、通話処理部１５を停止することでドアホン子器Ｂとの間の通話路を開放すると同時に、映像処理部３１を停止させて映像モニタを停止する。一方、インターホン親機Ａ１の制御部６は、インターホン副親機Ａ２から送信された終了制御信号を制御信号送受信部８で受信すると、受話処理部９を停止させて、ドアホン子器Ｂからインターホン副親機Ａ２への受話信号のモニタ（受話モニタ）を停止させると同時に、映像処理部２１を停止させて映像モニタも停止させる。
【００４１】
このように通話路を形成した宅内通話端末（例えば、インターホン親機Ａ１）と宅外通話端末（ドアホン子器Ｂ）との通話中に、通話路を形成していない他の宅内通話端末（例えば、インターホン副親機Ａ２）で操作部の応答釦が操作されれば、他の宅内通話端末でも宅外通話端末で話されている訪問者の音声、及び映像を確認することができる。
【００４２】
なお本実施形態では、映像信号は音声信号に重畳して同一の信号線で伝送されるが、映像信号と音声信号とを別々の信号線で伝送するインターホンシステムであってもよい。
【００４３】
（実施形態５）
本実施形態のインターホンシステムは実施形態４と同様に図５，６の構成を備えており、宅内通話端末の操作部の応答釦を操作せずとも自動でカメラ付きの宅外通話端末で話されている音声及び撮像された映像をモニタするものである。これ以外の構成は実施形態４と共通である。
【００４４】
まず、インターホン親機Ａ１で応答処理を行った場合について、以下説明する。インターホン親機Ａ１の制御部６は、応答釦を操作した操作部４からの応答操作信号が入力されたときに応答釦が操作されたことを知らせるための応答制御信号を制御信号送受信部８からインターホン副親機Ａ２へ送信させるとともに、通話処理部５を起動することでドアホン子器Ｂとの間に通話路を形成させて、インターホン親機Ａ１とドアホン子器Ｂとの間で通話が行われ、且つドアホン子器Ｂのテレビカメラで撮像された訪問者の映像を映像表示部２２に継続して表示させて映像モニタを行う。一方、インターホン副親機Ａ２の制御部１６は、インターホン親機Ａ１から送信された応答制御信号を制御信号送受信部１８で受信した時点で、受話処理部１９を起動させて、ドアホン子器Ｂからインターホン親機Ａ１への受話信号を通話線，受話処理部１９を介して受信し、スピーカ１２から音声出力して受話信号をモニタ（受話モニタ）すると同時に、ドアホン子器Ｂのテレビカメラで撮像された訪問者の映像を映像表示部３２に継続して表示させて映像モニタを行うことができる。
【００４５】
そしてインターホン親機Ａ１とドアホン子器Ｂとの通話終了時には、インターホン親機Ａ１の制御部６は、通話終了釦を操作した操作部４からの終了操作信号が入力されたときに終了釦が操作されたことを知らせるための終了制御信号を制御信号送受信部８からインターホン副親機Ａ２へ送信させるとともに、通話処理部５を停止することでドアホン子器Ｂとの間の通話路を開放すると同時に、映像処理部２１を停止させて映像モニタを停止する。一方、インターホン副親機Ａ２の制御部１６は、インターホン親機Ａ１から送信された終了制御信号を制御信号送受信部１８で受信すると、受話処理部１９を停止させて、ドアホン子器Ｂからインターホン親機Ａ１への受話信号のモニタ（受話モニタ）を停止させると同時に、映像処理部３１を停止させて映像モニタも停止させる。
【００４６】
同様に、インターホン副親機Ａ２で応答処理を行った場合についても、まず、インターホン副親機Ａ２の制御部１６は、応答釦を操作した操作部１４からの応答操作信号が入力されたときに応答釦が操作されたことを知らせるための応答制御信号を制御信号送受信部１８からインターホン親機Ａ１へ送信させるとともに、通話処理部１５を起動することでドアホン子器Ｂとの間に通話路を形成させて、インターホン副親機Ａ２とドアホン子器Ｂとの間で通話が行われ、且つドアホン子器Ｂのテレビカメラで撮像された訪問者の映像を映像表示部３２に継続して表示させて映像モニタを行う。一方、インターホン親機Ａ１の制御部６は、インターホン副親機Ａ２から送信された応答制御信号を制御信号送受信部８で受信した時点で、受話処理部９を起動させて、ドアホン子器Ｂからインターホン副親機Ａ２への受話信号を通話線，受話処理部９を介して受信し、スピーカ２から音声出力して受話信号をモニタ（受話モニタ）すると同時に、映像処理部２１を起動させて、ドアホン子器Ｂのテレビカメラで撮像された訪問者の映像を映像表示部２２に継続して表示させて映像モニタを行うことができる。
【００４７】
そしてインターホン副親機Ａ２とドアホン子器Ｂとの通話終了時には、インターホン副親機Ａ２の制御部１６は、通話終了釦を操作した操作部１４からの終了操作信号が入力されたときに終了釦が操作されたことを知らせるための終了制御信号を制御信号送受信部１８からインターホン親機Ａ１へ送信させるとともに、通話処理部１５を停止することでドアホン子器Ｂとの間の通話路を開放すると同時に、映像処理部３１を停止させて映像モニタを停止する。一方、インターホン親機Ａ１の制御部６は、インターホン副親機Ａ２から送信された終了制御信号を制御信号送受信部８で受信すると、受話処理部９を停止させて、ドアホン子器Ｂからインターホン副親機Ａ２への受話信号のモニタ（受話モニタ）を停止させると同時に、映像処理部２１を停止させて映像モニタも停止させる。
【００４８】
このように通話路を形成した宅内通話端末（例えば、インターホン親機Ａ１）と宅外通話端末（ドアホン子器Ｂ）とが通話を開始すると、通話路を形成していない他の宅内通話端末（例えば、インターホン副親機Ａ２）でも、受話操作等の操作を行わなくても実際の通話が継続している間は自動的に宅外通話端末で話されている訪問者の音声、及び映像を確認することができる。
【００４９】
（実施形態６）
本実施形態のインターホンシステムは実施形態５と同様に図５，６の構成を備え、実施形態５において、インターホン親機Ａ１及びインターホン副親機Ａ２の各操作部４，１４に、ドアホン子器Ｂからの受話信号及びドアホン子器Ｂのテレビカメラで撮像された映像のモニタを中止させる中止釦を備えたもので、これ以外の構成は実施形態５と共通である。インターホン親機Ａ１では、ドアホン子器Ｂからインターホン副親機Ａ２への受話信号をスピーカ２から音声出力してモニタし、且つドアホン子器Ｂのテレビカメラで撮像された映像を映像表示部２２に表示してモニタしている最中に、操作部４の中止釦を操作すると、操作部４から制御部６に対して中止操作信号が出力される。この中止操作信号が入力された制御部６は受話処理部９及び映像処理部２１を停止することで、ドアホン子器Ｂからの受話信号及び映像のモニタを中止させる。
【００５０】
同様に、インターホン副親機Ａ２では、ドアホン子器Ｂからインターホン親機Ａ１への受話信号をスピーカ１２から音声出力してモニタし、且つドアホン子器Ｂのテレビカメラで撮像された映像を映像表示部３２に表示してモニタしている最中に、操作部１４の中止釦を操作すると、操作部１４から制御部１６に対して中止操作信号が出力される。この中止操作信号が入力された制御部１６は受話処理部１９及び映像処理部３１を停止することで、ドアホン子器Ｂからの受話信号及び映像のモニタを中止させる。
【００５１】
このように、宅内通話端末で、ドアホン子器Ｂからの受話信号及び映像のモニタ動作が不必要な場合は任意にモニタ動作を中止することができる。
【００５２】
（実施形態７）
本実施形態は、実施形態１乃至６において、インターホン親機Ａ１とドアホン子器Ｂとの通話終了時には、インターホン親機Ａ１の制御部６は、通話終了釦を操作した操作部４からの終了操作信号が入力されたときに終了釦が操作されたことを知らせるための終了制御信号を制御信号送受信部８からインターホン副親機Ａ２へ送信させるとともに、ドアホン子器Ｂへも送信させれば、終了制御信号を受信したドアホン子器Ｂがインターホン親機Ａ１との通話路が開放されたことを訪問者に報知することができる。
【００５３】
また、インターホン副親機Ａ２とドアホン子器Ｂとの通話終了時には、インターホン副親機Ａ２の制御部１６は、通話終了釦を操作した操作部１４からの終了操作信号が入力されたときに終了釦が操作されたことを知らせるための終了制御信号を制御信号送受信部１８からインターホン親機Ａ１へ送信させるとともに、ドアホン子器Ｂへも送信させれば、終了制御信号を受信したドアホン子器Ｂがインターホン副親機Ａ２との通話路が開放されたことを訪問者に報知することができる。
【００５４】
【発明の効果】
請求項１の発明は、住戸外に設置される１台以上の宅外通話端末と、住戸内に設置される複数の宅内通話端末とで構成され、宅外通話端末からの呼出に対して何れかの宅内通話端末が応答したときに当該宅内通話端末と宅外通話端末との間で通話が行われるインターホンシステムにおいて、宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、他の宅内通話端末において操作手段が操作されたか否かを検出する操作検出手段と、操作検出手段にて他の宅内通話端末が通話を開始するために操作手段を操作したことを検出してから他の宅内通話端末が通話を終了するために操作手段を操作したことを検出するまでの間で、宅外通話端末からの通話音声をモニタする受話処理手段とを備えたので、宅外通話端末からの呼出に対して応答処理を行って通話路を形成した宅内通話端末以外の宅内通話端末でも、訪問者の音声を確認してその内容を把握することができるという効果がある。
【００５５】
請求項２の発明は、請求項１において、受話処理手段は、モニタした通話音声を外部に拡声報知する拡声報知手段と、操作検出手段にて他の宅内通話端末が通話を開始するために操作手段を操作したことを検出すると拡声報知手段の動作を開始させ、操作検出手段にて他の宅内通話端末が通話を終了するために操作手段を操作したことを検出すると拡声報知手段の動作を停止させる手段とを備えるので、宅外通話端末からの呼出に対して応答処理を行って通話路を形成した宅内通話端末以外の宅内通話端末で、受話操作等の操作を行わなくても実際の通話が継続している間は自動的に訪問者の音声をモニターでき、訪問者の通話の内容を把握することができるという効果がある。
【００５６】
請求項３の発明は、請求項２において、拡声報知手段の動作を中止させる手段を備えるので、宅外通話端末からの呼出に対して応答処理を行って通話路を形成した宅内通話端末以外の宅内通話端末で、ドアホン子器からの受話信号のモニタ動作が不必要な場合は任意にモニタ動作を中止することができるという効果がある。
【００５７】
請求項４の発明は、請求項１において、宅外通話端末は１台以上のカメラ付き宅外通話端末を含み、宅内通話端末は１台以上のモニタ装置付き宅内通話端末を含み、宅外通話端末からの呼出に対して何れかの宅内通話端末が応答したときに当該宅内通話端末と宅外通話端末との間で通話が行われ、当該宅外通話端末がカメラ付き宅外通話端末であり且つ当該宅内通話端末がモニタ装置付き宅内通話端末である場合は当該カメラ付き宅外通話端末が備えるカメラが撮像した映像を当該モニタ装置付き宅内通話端末のモニタ装置で表示するインターホンシステムにおいて、モニタ装置付き宅内通話端末は、宅外通話端末からの呼出を検出する呼出検出手段と、呼出検出手段により呼出が検出されたときに呼出報知を行う呼出報知手段と、呼出報知に応答して通話を開始する際、及び通話を終了する際に操作される操作手段と、通話を開始するために操作手段が操作されてから通話を終了するために操作手段が操作されるまでの間、宅外通話端末との間に通話路を形成する通話路形成手段と、他の宅内通話端末において操作手段が操作されたか否かを検出する操作検出手段と、操作検出手段にて他の宅内通話端末が通話を開始するために操作手段を操作したことを検出してから他の宅内通話端末が通話を終了するために操作手段を操作したことを検出するまでの間で、宅外通話端末からの通話音声をモニタする受話処理手段と、他の宅内通話端末がカメラ付き宅外通話端末と通話路を形成した場合には、操作検出手段にて他の宅内通話端末が通話を開始するために操作手段を操作したことを検出してから他の宅内通話端末が通話を終了するために操作手段を操作したことを検出するまでの間で、カメラが撮像した映像をモニタ装置に表示させる映像確認処理手段とを備えたので、宅外通話端末からの呼出に対して応答処理を行って通話路を形成した宅内通話端末以外の宅内通話端末でも、宅外通話端末で話されている訪問者の音声、及び映像を確認することができるという効果がある。
【００５８】
請求項５の発明は、請求項４において、操作検出手段にて他の宅内通話端末が通話を開始するために操作手段を操作したことを検出すると映像確認処理手段の動作を開始させ、操作検出手段にて他の宅内通話端末が通話を終了するために操作手段を操作したことを検出すると映像確認処理手段の動作を停止させる手段を備えるので、宅外通話端末からの呼出に対して応答処理を行って通話路を形成した宅内通話端末以外の宅内通話端末で、受話操作等の操作を行わなくても実際の通話が継続している間は自動的に宅外通話端末で話されている訪問者の音声、及び映像をモニターして確認することができるという効果がある。
【００５９】
請求項６の発明は、請求項５において、映像確認処理手段の動作を中止させる手段を備えるので、宅外通話端末からの呼出に対して応答処理を行って通話路を形成した宅内通話端末以外の宅内通話端末で、ドアホン子器からの受話信号および映像のモニタ動作が不必要な場合は任意にモニタ動作を中止することができるという効果がある。
【００６０】
請求項７の発明は、請求項１乃至６何れかにおいて、宅内通話端末は、宅外通話端末との通話を終了するために操作手段を操作したとき、宅外通話端末に通話の終了を通知する通話終了通知手段を備えるので、宅外通話端末と宅内通話端末との間で形成されていた通話路が開放されたことを宅外通話端末側に知らしめることができるという効果がある。
【図面の簡単な説明】
【図１】本発明の実施形態１のインターホン親機の構成を示す図である。
【図２】同上のインターホン副親機の構成を示す図である。
【図３】本発明の実施形態２，３のインターホン親機の構成を示す図である。
【図４】同上のインターホン副親機の構成を示す図である。
【図５】本発明の実施形態４，５，６のインターホン親機の構成を示す図である。
【図６】同上のインターホン副親機の構成を示す図である。
【符号の説明】
Ａ１　インターホン親機
Ａ２　インターホン副親機
Ｂ　ドアホン子器
１，１１　マイクロホン
２，１２　スピーカ
３，１３　呼出検出部
４，１４　操作部
５，１５　通話処理部
６，１６　制御部
８，１８　制御信号送受信部
９，１９　受話処理部
【図１】
2004088377.tif 000003
【図２】
2004088377.tif 000004
【図３】
2004088377.tif 000005
【図４】
2004088377.tif 000006
【図５】
2004088377.tif 000007
【図６】
2004088377.tif 000008